(57)【特許請求の範囲】
【請求項１】
供給パイプに連結され、オイル（ｏｉｌ）を貯蔵タンクに充填するオイル充填装置であって、
前記供給パイプが連結され、前記貯蔵タンクの内部に垂直に配置されるローディングパイプと；
前記ローディングパイプの下端に連結され、前記ローディングパイプから流出される前記オイルの圧力降下を引き起こす圧力降下モジュールを含み、
前記圧力降下モジュールが前記ローディングパイプの下端と連結される圧力降下パイプと；
前記圧力降下パイプの内部に横方向に設置される多孔のオリフィス（ｏｒｉｆｉｃｅ）と；
前記圧力降下パイプの下端と一端が連通し、他端が閉鎖される垂直管と、前記垂直管と連通し、前記垂直管の他端から一定距離だけ離隔して前記垂直管の側壁から横方向に伸びる水平管と、を備えるＴ形分岐管と；を含むことを特徴とする、オイル充填装置。
【請求項２】
前記オリフィスは、
前記圧力降下パイプの内部に互いに離隔して複数設置されることを特徴とする、請求項１に記載のオイル充填装置。
【請求項３】
前記オリフィスは、
回転によって前記圧力降下パイプの内部を開閉することを特徴とする、請求項１に記載のオイル充填装置。
【請求項４】
前記圧力降下モジュールは、
前記オリフィス（ｏｒｉｆｉｃｅ）の上部に配置され、前記圧力降下パイプの内部に横方向に設置されるメッシュ部をさらに含み、
前記メッシュ部は、
網目が交差するように前記ローディングパイプの内部に多段に積層される複数のメッシュ網を含むことを特徴とする、請求項１に記載のオイル充填装置。
【請求項５】
前記圧力降下モジュールは、
前記水平管が連結され、前記圧力降下パイプの直径より大きな直径を有する円筒形のチャンバーをさらに含み、
前記水平管から流出される前記オイルが前記チャンバーの内壁に接して螺旋状流動するように前記水平管は前記円筒形のチャンバーの上端に接線方向に連結されることを特徴とする、請求項１に記載のオイル充填装置。
【請求項６】
前記圧力降下モジュールは、
前記チャンバーの内側下部に設けられ、前記チャンバーの内側下部に蓄積するオイルを混合させるスタティックミキサー（ｓｔａｔｉｃ ｍｉｘｅｒ）をさらに含むことを特徴とする、請求項５に記載のオイル充填装置。
【請求項７】
前記チャンバーは、
円形の上板と；
前記上板が上端に結合されるように前記上板の縁部に対応する大きさを有し、側壁に前記水平管が連結される結合孔が形成され、前記ローディングパイプの直径より大きな直径を有する円筒体部と；
前記円筒体部の下部縁部に対応する大きさを有し、前記円筒体部の下部縁部に連結され、前記オイルが流出される流出孔を有する下板と；を含むことを特徴とする、請求項５に記載のオイル充填装置。
【請求項８】
前記流出孔に連結される流出管と；
前記圧力降下モジュールをバイパスするように前記流出管と前記ローディングパイプとを連結するバイパスラインと；
前記バイパスラインに設置されるバルブと；をさらに含むことを特徴とする、請求項７に記載のオイル充填装置。
【請求項９】
船体と；
前記船体内に設けられ、供給パイプから流入するオイル（ｏｉｌ）が充填される貯蔵タンクと；
請求項１〜８のいずれか一項に記載のオイル充填装置と；を含むことを特徴とする、オイル運搬船。
【発明の詳細な説明】
【技術分野】
【０００１】
本発明はオイル充填装置及びこれを備えたオイル運搬船に関するものである。より詳しくは、オイルを貯蔵タンク内に充填するとき、揮発性有機化合物（ＶＯＣ；Ｖｏｌａｔｉｌｅ Ｏｒｇａｎｉｃ Ｃｏｍｐｏｕｎｄ）の発生を抑制することができるオイル充填装置及びこれを備えたオイル運搬船に関するものである。
【背景技術】
【０００２】
陸上または海上の原油生産施設、原油貯蔵施設、原油運搬船などには、原油、石油、液化ガスまたはその他の鉱物性液状化物などのオイルが貯蔵タンクに貯蔵されているが、貯蔵タンク内の温度や圧力の変化によって貯蔵タンクの上部には液状オイルから発生した気相成分の揮発性有機化合物（Ｖｏｌａｔｉｌｅ Ｏｒｇａｎｉｃ Ｃｏｍｐｏｕｎｄ；ＶＯＣ）が満ちることになる。
【０００３】
このような揮発性有機化合物はオイルを貯蔵タンクに充填する過程でも発生することがある。供給パイプから貯蔵タンクにオイルを充填するとき、オイルの落下過程で過度な圧力降下が発生することがあり、このような圧力降下によってオイルが蒸発しながら揮発性有機化合物が発生するものである。
【０００４】
揮発性有機化合物は、メタン、プロタン、ブタン及びエタンのような多様な有機化合物を含んでいる。これらは人体に有害で、大気中に排出される場合はスモッグなどの原因となって大気汚染を引き起こすことになる。具体的に、揮発性有機化合物は大気中で移動性が強く、においを発生させるだけでなく、潜在的な毒性及び発癌性を持っており、酸化窒素及び他の和合物質と光化学的に反応してオゾンを形成するため、これらによる環境汚染は特に関心を集めている実情である。また、このように発生した揮発性有機化合物を大気中に排出すれば、その分だけ原油などのオイルの損失が発生するものである。よって、オイルを充填するとき、揮発性有機化合物が発生することを低減させる必要がある。
【０００５】
発明の背景となる技術として、特許文献に記載したようなローディングカラムにおける方法及び設備は供給パイプの横断面より明らかに広いローディングカラムの横断面を有し、螺旋状の下方流動パターンを有し、原油が移動するようになっている。
【０００６】
特許文献の従来技術は供給パイプより相対的に広い横断面を持つローディングカラムが必要であるので、ローディングカラムを設置するために大きな設置空間を要求する欠点がある。
【発明の概要】
【発明が解決しようとする課題】
【０００７】
本発明の実施例は、オイルを貯蔵タンク内に充填するとき、揮発性有機化合物の発生を抑制することができるオイル充填装置及びこれを備えたオイル運搬船を提供する。
【課題を解決するための手段】
【０００８】
本発明の一側面によれば、供給パイプに連結され、オイル（ｏｉｌ）を貯蔵タンクに充填するオイル充填装置であって、前記供給パイプが連結され、前記貯蔵タンクの内部に垂直に配置されるローディングパイプと；前記ローディングパイプの下端に連結され、前記ローディングパイプから流出される前記オイルの圧力降下を引き起こす圧力降下モジュールを含み、前記圧力降下モジュールが前記ローディングパイプの下端と連結される圧力降下パイプと；前記圧力降下パイプの内部に横方向に設置される多孔のオリフィス（ｏｒｉｆｉｃｅ）と；前記圧力降下パイプの下端と一端が連通し、他端が閉鎖される垂直管と、前記垂直管と連通し、前記垂直管の他端から一定距離だけ離隔して前記垂直管の側壁から横方向に伸びる水平管と、を備えるＴ形分岐管と；を含む、オイル充填装置が提供される。
【０００９】
前記オリフィスは、前記圧力降下パイプの内部に互いに離隔して複数設置されることができる。
【００１０】
前記オリフィスは、回転によって前記圧力降下パイプの内部を開閉することができる。
【００１１】
前記圧力降下モジュールは、前記オリフィス（ｏｒｉｆｉｃｅ）の上部に配置され、前記圧力降下パイプの内部に横方向に設置されるメッシュ部をさらに含むことができ、前記メッシュ部は、網目が交差するように前記ローディングパイプの内部に多段に積層される複数のメッシュ網を含むことができる。
【００１２】
前記圧力降下モジュールは、前記水平管が連結され、前記圧力降下パイプの直径より大きな直径を有する円筒形のチャンバーをさらに含むことができ、前記水平管から流出される前記オイルが前記チャンバーの内壁に接して螺旋状流動するように前記水平管は前記円筒形のチャンバーの上端に接線方向に連結されることができる。
【００１３】
前記圧力降下モジュールは、前記チャンバーの内側下部に設けられ、前記チャンバーの内側下部に蓄積するオイルを混合させるスタティックミキサー（ｓｔａｔｉｃ ｍｉｘｅｒ）をさらに含むことができる。
【００１４】
前記チャンバーは、前記円形の上板と；前記上板が上端に結合されるように前記上板の縁部に対応する大きさを有し、側壁に前記水平管が連結される結合孔が形成され、前記ローディングパイプの直径より大きな直径を有する円筒体部と；前記円筒体部の下部縁部に対応する大きさを有し、前記円筒体部の下部縁部に連結され、前記オイルが流出される流出孔を有する下板と；を含むことができる。
【００１５】
前記圧力降下モジュールは、下部に連結され、複数設置されることができる。
【００１６】
前記流出孔に連結される流出管と；前記圧力降下モジュールをバイパスするように前記流出管と前記ローディングパイプとを連結するバイパスラインと；前記バイパスラインに設置されるバルブと；をさらに含むことができる。
【００１７】
本発明の他の側面によれば、船体と；前記船体内に設けられ、供給パイプから流入するオイル（ｏｉｌ）が充填される貯蔵タンクと；前記オイル充填装置と；を含む、オイル運搬船が提供される。
【発明の効果】
【００１８】
本発明の実施例によるオイル充填装置及びこれを備えたオイル運搬船は、オイルを貯蔵タンク内に充填するとき、揮発性有機化合物の発生を抑制することができる。
【図面の簡単な説明】
【００１９】
【図１】本発明の第１実施例によるオイル充填装置を示す図である。
【図２】図１に表示した線Ａ−Ａの断面図である。
【図３】図１に表示した線Ｂ−Ｂの断面図である。
【図４】図１に表示した線Ｃ−Ｃの断面図である。
【図５】図１に示した圧力降下モジュールの分解斜視図である。
【図６】本発明の第１実施例によるオイル充填装置のオリフィスの開閉構造を説明する図である。
【図７】本発明の第２実施例によるオイル充填装置を示す図である。
【図８】本発明の第３実施例によるオイル充填装置を示す図である。
【発明を実施するための形態】
【００２０】
本発明は多様な変換を加えることができ、さまざまな実施例を有することができ、特定の実施例を図面に例示し、詳細な説明において詳細に説明しようとする。しかし、これは本発明を特定の実施形態に限定しようとするものではなく、本発明の思想及び技術範囲に含まれるすべての変換、均等物ないし代替物を含むものとして理解されなければならない。本発明の説明において、関連の公知技術についての具体的な説明が本発明の要旨をあいまいにする可能性があると判断される場合、その詳細な説明を省略する。
【００２１】
以下、本発明によるオイル充填装置の実施例を添付図面に基づいて詳細に説明し、添付図面に基づく説明において、同一ないし対応の構成要素は同一参照符号を付け、これについての重複説明は省略する。
【００２２】
図１は本発明の第１実施例によるオイル充填装置を示す図であり、図２は図１に表示した線Ａ−Ａの断面図であり、図３は図１に表示した線Ｂ−Ｂの断面図であり、図４は図１に表示した線Ｃ−Ｃの断面図である。図５は図１に示した圧力降下モジュールの分解斜視図である。そして、図６は本発明の第１実施例によるオイル充填装置のオリフィスの開閉構造を説明する図である。
【００２３】
図１〜図５には、船体１０、貯蔵タンク１２、供給パイプ１４、ローディングパイプ１８、圧力降下パイプ２０、フランジ２２、メッシュ部２４、第１オリフィス２６、第２オリフィス２７、チャンバー２８、第３オリフィス２９、垂直管３０、水平管３２、Ｔ形分岐管３４、圧力降下モジュール３６、流出管３８、メッシュ網４０、４２、孔４６、５０、上板５２、円筒体部５４、結合孔５５、下板５６、流出孔５８、スタティックミキサー６０、蒸気処理ライン６４、及び螺旋状流動６６が示されている。
【００２４】
この実施例によるオイル充填装置は、供給パイプ１４に連結され、オイル（ｏｉｌ）を貯蔵タンク１２に充填するオイル充填装置であって、前記供給パイプ１４が連結され、前記貯蔵タンク１２の内部に垂直に配置されるローディングパイプ１８と；前記ローディングパイプ１８の下端に連結され、前記ローディングパイプ１８から流出される前記オイルの圧力降下を引き起こす圧力降下モジュール３６を含み、前記圧力降下モジュール３６は、前記ローディングパイプ１８の下端と連結される圧力降下パイプ２０と；前記圧力降下パイプ２０の内部に横方向に設置される多孔のオリフィス（ｏｒｉｆｉｃｅ）２６、２７、２９と；前記圧力降下パイプ２０の下端と一端が連通し、他端が閉鎖される垂直管３０と、前記垂直管３０と連通し、前記垂直管３０の他端から一定距離だけ離隔して前記垂直管３０の側壁から横方向に伸びる水平管３２と、を備えるＴ形分岐管３４と；を含む。
【００２５】
ここで、オイル（ｏｉｌ）は、温度変化や圧力変化によって揮発性有機化合物を発生する可能性がある原油、石油、液化ガス、その他の鉱物性液状化物などを含む概念のものである。
【００２６】
この実施例によるオイル充填装置は、オイル運搬船の船体１０に設けられる貯蔵タンク１２に設置され、オイルを貯蔵タンク１２内に充填するとき、揮発性有機化合物の発生を抑制することができる。
【００２７】
貯蔵タンク１２は、陸上または海上のオイル生産施設、オイル貯蔵施設、オイル運搬船などに備えられることができる。この実施例においては、オイル運搬船の船体１０に設けられた貯蔵タンク１２を中心に説明する。
【００２８】
供給パイプ１４は貯蔵タンク１２の上部に水平に配置できる。これを通じて外部からオイルが貯蔵タンク１２に流入する。貯蔵タンク１２がオイル運搬船などの船体１０に設けられたものである場合、供給パイプ１４はオイル生産地のオイル貯蔵タンク１２と連結され、オイル運搬船の貯蔵タンク１２にオイルを供給できる。
【００２９】
ローディングパイプ１８は供給パイプ１４と連結され、貯蔵タンク１２の内部に垂直に配置される。ローディングパイプ１８の上端部は供給パイプ１４と連結され、オイルを受けることができる。
【００３０】
圧力降下モジュール３６は、ローディングパイプ１８の下端に連結され、ローディングパイプ１８から流出されるオイルの圧力降下を引き起こす。圧力降下モジュール３６はオイルの流れに対する抵抗力を増加させ、圧力降下を引き起こす役目を担当するように後述する詳細構成を含むことができる。
【００３１】
ローディングパイプ１８、圧力降下モジュール３６を順に通過したオイルは流出管３８を通じて貯蔵タンク１２の内部に流入することができる。
【００３２】
ここで、圧力降下（ｐｒｅｓｓｕｒｅ ｄｒｏｐ）は、オイルなどの流体が流動するパイプの一地点と他の下流地点との間の圧力差を意味することができる。
【００３３】
圧力降下モジュール３６は、ローディングパイプ１８の下端と連結される圧力降下パイプ２０と；圧力降下パイプ２０の内部に横方向に設置される多孔のオリフィス２６、２７、２９と；圧力降下パイプ２０の下端と一端が連通し、他端が閉鎖される垂直管３０と、垂直管３０と連通し、垂直管３０の他端から一定距離だけ離隔して垂直管３０の側壁から横方向に伸びる水平管３２と、を備えるＴ形分岐管３４と；を含むことができる。
【００３４】
また、圧力降下モジュール３６は、オリフィス２６、２７、２９の上部に配置され、圧力降下パイプ２０の内部に横方向に設置されるメッシュ部２４をさらに含むことができ、メッシュ部２４は、網目が交差するようにローディングパイプ１８の内部に多段に積層される複数のメッシュ網４０、４２を含むことができる。
【００３５】
圧力降下パイプ２０は、ローディングパイプ１８と実質的に同一の内径を有することができ、フランジ２２によってローディングパイプ１８の下端に連結できる。圧力降下パイプ２０の内部に、上述したオリフィス２６、２７、２９、メッシュ網４０、４２が横方向に結合され、ローディングパイプ１８から流入するオイルの圧力降下を誘導することになる。例えば、圧力降下モジュール３６で圧力降下量を調節してローディングパイプ１８内の圧力をオイルの飽和圧力より高く維持することにより、ローディングパイプ１８での揮発性有機化合物の発生を低減させることができる。
【００３６】
図２を参照すれば、メッシュ部２４は圧力降下パイプ２０の内部に多段に積層設置されたメッシュ網４０、４２を含む。メッシュ網４０、４２は圧力降下パイプ２０の長手方向に沿って離隔して多段に積層できる。メッシュ網４０、４２は圧力降下誘発量に対応するように一段にも配置できる。メッシュ網４０、４２の外縁部は圧力降下パイプ２０の内周面に対応するように形成されて固定される。
【００３７】
ここで、一段または多段、または単一または多重のような積層数またはメッシュ網４０、４２の網目の大きさは正格運転条件での流量及び貯蔵タンク１２のオイルのレベル変化による影響を考慮して決定できる。
【００３８】
オイルがローディングパイプ１８に沿って下方に流動するとき、重力によって流速が加速されることができるが、メッシュ部２４のメッシュ網４０、４２によって速度が一部減速され、圧力降下を誘発できる。
【００３９】
したがって、メッシュ網４０、４２の設置位置での圧力降下パイプ２０は、メッシュ網４０、４２によってローディングパイプ１８の流路断面積に比べて相対的に小さな流路断面積を有することになるので、オイルがメッシュ網４０、４２を通過しながら流動するとき、圧力降下を一部誘発できるものである。
【００４０】
圧力降下モジュール３６で圧力降下量を調節することにより、ローディングパイプ１８内の圧力を一様に維持することができる。
【００４１】
オリフィス２６、２７、２９は多数の孔４６、５０が形成された板状のもので、孔４６、５０の個数、大きさ、形態などは圧力降下量によって決定できる。一方、オリフィス２６、２７、２９は圧力降下パイプ２０の内部に長手方向に沿って互いに離隔して複数設置できる。この実施例においては、圧力降下パイプ２０に三つの第１オリフィス２６、第２オリフィス２７及び第３オリフィス２９を設置した形態を提示する。
【００４２】
第１オリフィス２６及び第２オリフィス２７は、一定距離だけ離隔して圧力降下パイプ２０の長手方向に対して水平方向に配置される。そして、第１オリフィス２６と第２オリフィス２７との間には圧力降下パイプ２０の長手方向に対して横方向に傾くように配置された第３オリフィス２９が介在できる。第１オリフィス２６、第２オリフィス２７、及び第３オリフィス２９の縁部は圧力降下パイプ２０の内壁に固定されるか回転によって圧力降下パイプ２０の内部を開閉するように構成できる。傾いて配置された第３オリフィス２９はオリフィスを通過するオイルの接触面積を増加させて圧力降下効率を高めることができる。
【００４３】
オリフィスの個数、オリフィス間の離隔距離、オリフィスの孔４６、５０の個数、大きさ及び形態などの設計値は正格運転条件での流量及び貯蔵タンク１２のオイルのレベル変化による影響を考慮して決定できる。
【００４４】
特に、オイル運搬船の種類または大きさが決定されれば、オイルの積み下ろしに必要な時間及び量が決定されることができ、それに相応してオリフィスの設計値を揮発性有機化合物の低減を期待することができる範囲内で決定できる。
【００４５】
すなわち、オイル運搬船の変更によってオイルの積み下ろしに必要な時間及び量が変更される場合、既存の設計値を変更し、変更された設計値を有するオリフィスに既存のものを入れ替えることで、揮発性有機化合物の低減性能を容易に調節することができる。また、オイルのＲＶＰ（Ｒｅｉｄ Ｖａｐｏｒ Ｐｒｅｓｓｕｒｅ）が変わる場合、オリフィスの設計値を変更して揮発性有機化合物の発生を低減させることができる。
【００４６】
一方、オリフィス２６、２７、２９は、回転によって圧力降下パイプ２０の内部を開閉するように構成できる。図５を参照すれば、円板状のオリフィス２６が圧力降下パイプ２０の内部に水平方向に配置された状態で円板の中心線を通る円板の径方向に延びる線を軸として円板を回転させることによって圧力降下パイプ２０の内部を開閉することができる。すなわち、円板状のオリフィス２６を圧力降下パイプ２０の長手方向に対して水平に回転させれば、圧力降下パイプ２０の内部が閉鎖され、円板状のオリフィス２６を圧力降下パイプ２０の長手方向と同一の方向に回転させれば、圧力降下パイプ２０の内部が開放することになる。もちろん、圧力降下パイプ２０をオリフィス２６で閉鎖させた状態でもオイルはオリフィスの孔４６を通じて移動する。
【００４７】
第３オリフィス２９の場合には楕円形のオリフィス２９が圧力降下パイプ２０に配置される。この場合も第３オリフィス２９を回転させることで、圧力降下パイプ２０の開閉が可能である。
【００４８】
オイルが貯蔵タンク１２に流入して一定の高さまで満ちるとローディングパイプ１８内の圧力が増加することができる。ローディングパイプ１８の圧力が増加すれば、貯蔵タンク１２にオイルを供給するための陸上側のポンプの全揚程（ｔｏｔａｌ ｈｅａｄ）が増加してポンピング効率が落ちるおそれがあるので、オリフィス２６、２７、２９を回転させて圧力降下パイプ２０の内部を開放し、圧力降下を弱めるものである。
【００４９】
Ｔ形分岐管３４は、圧力降下パイプ２０の下端と一端が連通し、他端が閉鎖される垂直管３０と、垂直管３０と連通し、垂直管３０の他端から一定距離だけ離隔して垂直管３０の側壁から横方向に伸びる水平管３２と、からなる。圧力降下パイプ２０を通過したオイルはＴ形分岐管３４によって垂直流動から水平流動に流動方向が変わることになる。この際、水平管３２が垂直管３０の閉鎖された他端から一定距離だけ離隔して垂直管３０に連結されるため、垂直管３０の内部下端には水平管３２の下端高さまでオイルが満ちることになる。垂直管３０の内部下端を満たすオイルは圧力降下パイプ２０を通過して垂直に落ちるオイルの衝撃を吸収する役目をすることになる。これにより、オイルが直接的にパイプの内壁に衝撃を加えることによって発生する可能性があるパイプの摩耗、振動騒音を減少させることができ、垂直に落ちるオイルとオイルの気相成分とが混合して気相成分を吸収することになる。
【００５０】
垂直管３０の他端と水平管３２との離隔距離は垂直管３０の下部に満ちるオイルの量を決定することになるので、落下オイルの衝撃量によって多様に変更可能である。
【００５１】
圧力降下モジュール３６は、水平管３２が連結され、圧力降下パイプ２０の直径より大きな直径を有する円筒形のチャンバー２８をさらに含むことができ、水平管３２から流出されるオイルがチャンバー２８の内壁に接して螺旋状流動６６するように、水平管３２は円筒形のチャンバー２８の上端に接線方向に連結できる。より詳細に、チャンバー２８は、円形上板５２と、上板５２が上端に結合されるように上板５２の縁部に対応する大きさを有し、側壁に水平板３２が連結される結合孔５５が形成され、ローディングパイプ１８の直径より大きな直径を有する円筒体部５４と、円筒体部５４の下部縁部に対応する大きさを有し、円筒体部５４の下部縁部に連結され、オイルが流出される流出孔５８を有する下板５６と、からなることができる。
【００５２】
チャンバー２８はチャンバー２８の内部で発生する揮発性有機化合物の蒸気圧に耐えることができる材質から構成され、結合孔５５と流出孔５８とを除いたすべての部位が密閉されており、安全規定が適用されるセーフティーバルブ及び蒸気処理ライン６４を備えることができる。
【００５３】
蒸気処理ライン６４の設置位置は船舶によって異なることができるので、図６のように限定されない。
【００５４】
Ｔ形分岐管３４の水平管３２はチャンバー２８の上端に接線方向に連結され、水平管３２を通過して流出されるオイルが直ちにチャンバー２８の内壁に接して流入し、慣性力及び重力の影響を受けて流入したオイルが螺旋状に螺旋状流動６６することになる。このときに発生する揮発性有機化合物の蒸気もチャンバー２８の中心部位または中央に捕集できる。
【００５５】
チャンバー２８に捕集されるオイルの気相成分または蒸気の量が増加する場合、既に捕集された蒸気によってチャンバー２８の圧力がさらに増加し、蒸気の発生がさらに抑制されることや、流動するオイルに溶け込むことができることになる。
【００５６】
また、圧力降下モジュール３６は、チャンバー２８の内側下部に設けられ、チャンバー２８の内側下部に蓄積されるオイルを混合させるスタティックミキサー６０（ｓｔａｔｉｃ ｍｉｘｅｒ）をさらに含むことができる。
【００５７】
スタティックミキサー６０は、チャンバー２８の内壁に沿って下るオイルを混合させ、オイルに含まれている気相成分の気泡（ｂｕｂｂｌｅ）の大きさを減少させることになる。スタティックミキサー６０としては、チャンバー２８の内壁に沿って下るオイルを混合させ、オイルに含まれている気相成分の気泡の大きさを減少させることができる構造であればいずれも使用可能であろう。
【００５８】
チャンバー２８の流出孔５８には流出管３８が連結され、流出管３８を通じてチャンバー２８の外部にオイルが流出される。流出管３８は貯蔵タンク１２の底面に近くに配置されるか、貯蔵タンク１２内のオイルの分配配管と連結できる。
【００５９】
一方、ローディングパイプ１８、圧力降下パイプ２０及びＴ形分岐管３４は設計によって互いに一体的に形成できる。
【００６０】
以下、この実施例によるオイル充填装置の作動方法について説明する。
【００６１】
図１を参照すれば、供給パイプ１４とローディングパイプ１８とを通じて移送されたオイルはメッシュ部２４及び多孔のオリフィス２６、２７、２９を通過することになる。この際、オイルがメッシュ部２４または多孔のオリフィス２６、２７、２９を通過するうちに圧力降下が発生することができ、Ｔ形分岐管３４によって流動方向が変更され、チャンバー２８の結合孔５５まで到達することになる。
【００６２】
圧力降下して結合孔５５を通じてチャンバー２８に流入したオイルは慣性力及び重力の影響によってチャンバー２８の内壁に接して螺旋状に螺旋状流動６６することになる。一方、多孔のオリフィスを通過する過程で発生する可能性があるオイルの気相成分はチャンバー２８の中央に捕集できる。このようにチャンバー２８の中央に捕集されたオイルの気相成分はチャンバー２８の内圧を上昇させることができる。
【００６３】
チャンバー２８の内圧が上昇する場合、ローディングパイプ１８の背圧が増加し、これによりこの実施例によるオイル充填装置の内部の全圧が上昇するので、オイルからの揮発性有機化合物の発生を一層減少させることができる。
【００６４】
図７は本発明の第２実施例によるオイル充填装置を示す図である。図７には、船体１０、貯蔵タンク１２、供給パイプ１４、ローディングパイプ１８、圧力降下モジュール３６、及び流出管３８が示されている。
【００６５】
この実施例によるオイル充填装置は、複数の圧力降下モジュール３６が順次に配置されていることを除き、第１実施例と同様である。
【００６６】
最上部に配置された圧力降下モジュール３６はローディングパイプ１８の下端に連結され、上部に配置された圧力降下モジュール３６の流出管３８とその下部に配置される圧力降下モジュール３６の圧力降下パイプとを互いに連結して複数の圧力降下モジュール３６を順次に配置することができる。
【００６７】
このような設置によって、一つの圧力降下モジュール３６で圧力降下を急激に減少させるときに発生し得るネガティブな影響と、貯蔵タンク１２でのオイルの充填高さの増加に比例して陸上ポンプの水頭が増加することができるネガティブな影響と、を減少させることができることになる。
【００６８】
図８は本発明の第３実施例によるオイル充填装置を示す図である。図８には、船体１０、貯蔵タンク１２、供給パイプ１４、ローディングパイプ１８、圧力降下モジュール３６、流出管３８、バイパスライン６８、及びバルブ７０が示されている。
【００６９】
この実施例によるオイル充填装置は、圧力降下モジュール３６の周辺に設置されたバイパスライン６８及びバルブ７０を除き、第１または第２実施例と同様であることができる。
【００７０】
第３実施例の特徴を調べると、圧力降下モジュール３６をバイパスするように流出管３８とローディングパイプ１８とを連結するバイパスライン６８が設置されることができ、バイパスライン６８の中間にはバイパスライン６８を開閉するバルブ７０を設置できる。
【００７１】
バイパスライン６８及びバルブ７０が第２実施例に適用される場合、それぞれの圧力降下モジュール３６をバイパスするようにそれぞれ設置できる。
【００７２】
バイパスライン６８は、圧力降下モジュール３６に含まれているオリフィスが開放せずにローディングパイプ１８の圧力が過度に増加する場合、オイルの一部または全部が圧力降下モジュール３６を迂回して流動することができるようにすることで、陸上ポンプの過度な水頭の増加を防止することができる。
【００７３】
また、第１または第２実施例で提示した圧力降下モジュール３６の設置によって陸上ポンプの水頭が過度に増加する場合、バイパスライン６８を通じてオイルの一部または全部が圧力降下モジュール３６を迂回して流動することができるようにすることで、陸上ポンプの過度な水頭増加を防止することができる。
【００７４】
以上、添付図面に基づいて本発明の実施例を説明したが、本発明が属する技術分野で通常の知識を有する者は本発明がその技術的思想や必須の特徴を変更しなくても他の具体的な形態に実施可能であることを理解することが可能であろう。例えば、当業者は各構成要素の材質、大きさなどを適用分野によって変更することや、実施形態を組み合わせて置換することで、本発明の実施例に明らかに開示されていない形態に実施することができるが、これも本発明の範囲を外れないものである。したがって、以上に記述した実施例はすべての面で例示的なもので、限定的なものとして理解してはならず、このような変形実施例は本発明の特許請求の範囲に記載された技術思想に含まれると言える。
【符号の説明】
【００７５】
１０  船体、１２  貯蔵タンク、１４  供給パイプ、１８  ローディングパイプ、２０  圧力降下パイプ、２４  メッシュ部、２６，２７，２９  オリフィス、２８  チャンバー、３０  垂直管、３２  水平管、３４  Ｔ形分岐管、３６  圧力降下モジュール、３８  流出管、４０，４２  メッシュ網、４６，５０  孔、５２  上板、５４  円筒体部、５５  結合孔、５６  下板、５８  流出孔、６０  スタティックミキサー、６６  螺旋状流動、６８  バイパスライン、７０  バルブ
【図１】
0005897209.tif 000002
【図２】
0005897209.tif 000003
【図３】
0005897209.tif 000004
【図４】
0005897209.tif 000005
【図５】
0005897209.tif 000006
【図６】
0005897209.tif 000007
【図７】
0005897209.tif 000008
【図８】
0005897209.tif 000009